(57)【要約】【課題】コンパクトな温水タンク１７を提供する。【解決手段】室内機５と室外機１を連絡配管４で接続し、前記室外機で加熱した温水を室内機に循環して暖房を行うもので、前記室外機内には温水回路内の水を加熱する水−冷媒熱交換器１５と、温水タンク１７と、循環ポンプとを備える温水回路と、圧縮機、蒸発器、減圧器等を備えた冷凍回路とを収納する温水暖房装置であって、前記温水タンク上面に備えた給水口３９の高さ位置を温水タンク１７本体の高さと略同じ高さとし、前記給水口の周囲に溝４２を設け、給水口の周辺にこぼれた水を側面方向に案内するようにした。【選択図】図３
2010121840.tif 000002
【特許請求の範囲】
【請求項１】
室内機と室外機を連絡配管で接続し、前記室外機で加熱した温水を室内機に循環して暖房を行うもので、前記室外機内には温水回路内の水を加熱する水−冷媒熱交換器と、温水タンクと、循環ポンプとを備える温水循環回路と、圧縮機、蒸発器、減圧器等を備えた冷凍回路とを収納する温水暖房装置であって、前記温水タンク上面に備えた給水口の高さ位置を温水タンク本体の高さと略同じ高さとし、前記給水口の周囲に溝を設け、給水口の周辺にこぼれた水を側面方向に案内することを特徴とする温水暖房装置。
【発明の詳細な説明】
【技術分野】
【０００１】
この発明は、ヒートポンプ式の温水暖房装置に関するものである。
【背景技術】
【０００２】
通常の空気調和機では、室外機内に収納される圧縮機、室外熱交換器、四路切換弁および室内機内に収納される室内熱交換器により冷媒回路を構成している。四路切換弁を切り換えて、室外熱交換器が凝縮器として機能し、室内熱交換器が蒸発器として機能するように制御した場合には、冷房運転を行うことができる。また、四路切換弁を切り換えて、室外熱交換器が蒸発器として機能し、室内熱交換器が凝縮器として機能するように制御した場合には、暖房運転を行うことが可能となる。
また、室外機の上部には水−冷媒熱交換器を備え、この水−冷媒熱交換器は外管の内部に内管が挿入され、内管内を通過する液体やガスと、外管と内管との間を通過する液体やガスとの間で熱交換を行ういわゆる水−冷媒熱交換器が知られている。このような水−冷媒熱交換器の一方の経路に水を導入し、他方の経路に冷媒を導入して熱交換させ、熱交換後の温水を室内に設置されたファンコンベクタや床暖房の放熱器に循環させることで室内の暖房を行うことができる。この場合、室外機の圧縮機から水−冷媒熱交換器に接続し、水−冷媒熱交換器が冷媒の凝縮器として機能するように制御することで暖房を行うことが可能となる。
そして、前記水−冷媒熱交換器と温水タンクと循環ポンプと室内機を温水配管で接続して温水循環経路を形成し、前記温水タンクは、上部から水の補給が可能な給水口と、前記給水口の周辺の所定位置を除いて、前記室外機のケーシングの天板に近接する高さまで立設され、前記給水口の周辺にこぼれた水を前記所定位置に案内する侵水規制リブとを備えることで、温水タンクへの給水時に水が給水口がらこぼれても速やかに排水経路へこぼれた水を導くことで、室外機内に備えた制御回路等の電気部品に浸水することを簡単に防止するものであった。（例えば、特許文献１参照）
【特許文献１】特許３５６４５５３号公報
【発明の開示】
【発明が解決しようとする課題】
【０００３】
しかしながら、室外機内は冷凍回路と温水回路と冷凍回路から温水回路へ熱を伝える水−冷媒熱交換器や制御回路等の機能部品が所狭しと配置されており、一般的な空気調和機の室外機よりもかなり大きなものであり、コンパクト化が要求されるものであった。
また、前記侵水規制リブは温水タンク上面にかなり突出していることで温水タンク本体と天板との間に無駄な空間が生じるものであった。
【課題を解決するための手段】
【０００４】
この発明はこの点に着目し上記欠点を解決する為、特にその構成を、室内機と室外機を連絡配管で接続し、前記室外機で加熱した温水を室内機に循環して暖房を行うもので、前記室外機内には温水回路内の水を加熱する水−冷媒熱交換器と、温水タンクと、循環ポンプとを備える温水循環回路と、圧縮機、蒸発器、減圧器等を備えた冷凍回路とを収納する温水暖房装置であって、前記温水タンク上面に備えた給水口の高さ位置を温水タンク本体の高さと略同じ高さとし、前記給水口の周囲に溝を設け、給水口の周辺にこぼれた水を側面方向に案内するようにした。
【発明の効果】
【０００５】
この発明によれば、温水タンク上面に備えた給水口の高さ位置を温水タンク本体の高さと略同じ高さとし、前記給水口の周囲に溝を設け、給水口の周辺にこぼれた水を室外機の外に案内するようにしたので、室外機内への浸水を防止しながら温水タンク本体の上面をぎりぎりまで天板に近づけることができるので、温水タンクがコンパクトになり、室外機全体のコンパクト化を促進することができる。
【発明を実施するための最良の形態】
【０００６】
次に、この発明に係る温水暖房装置の室外機を図面に示された一実施例で説明する。
１は温水暖房機の室外機で、下部には冷凍回路部２を、上部には温水回路部３を備え、連絡配管４によって、ファンコンベクタ等の室内機５と接続されている。
前記冷凍回路部２の背面と左側面には空気吸込口（図示せず）が、前面には吹出口６を備え、内部には圧縮機７、蒸発器８、膨張弁９、送風ファン１０と冷凍回路制御部１１等を設けている。
前記温水回路部３は上面に給水用蓋１２が、背面に配管取出口１３を備え、内部には冷媒接続バルブ１４、水−冷媒熱交換器１５、補助ヒータ１６、温水タンク１７、循環ポンプ１８、温水接続バルブ１９と温水回路制御部２０等を設けている。
【０００７】
前記室内機５はファンコンベクタ等から成り、前面下部には温風吹出口２１を、前面上部には操作部２２を、背面には空気吸込口（図示せず）等を備え、内部には熱を放出するための熱交換器２３と送風ファン２４と室内制御部２５等を設けている。
【０００８】
前記圧縮機７はインバータ駆動回路（図示せず）等により多段階に回転数が可変できるものであり、必要な能力に応じて前記冷凍回路制御部１１からの指令によって回転数が定まるものである。前記蒸発器８はフィンチューブ型の熱交換器で前記空気吸込口の内側に設けられ、送風ファン１０の送風によって送風空気から熱を吸収する。
【０００９】
前記水−冷媒熱交換器１５は、外管の内部に内管を挿入した二重管で構成されている。内管の外表面は、多数のフィンを立設し、内管の内外における熱交換効率を高めるように構成されている。この二重管の内管内部を水が通過する温水経路２６とし、内管と外管との間を冷媒が通過する冷媒経路２７とすることにより、冷媒と水との間で熱交換して通過する水を加熱することが可能となる。
【００１０】
２８は前記圧縮機７吐出側の冷媒配管に取り付けられた吐出温センサで、圧縮機７の吐出温度を測定し、前記冷凍回路制御部１１へ信号を送る。２９は冷凍回路部２内の送風経路の上流側に設けられた外気温センサで、外気温を測定する。３０は前記蒸発器８に取り付けられ蒸発器８の温度を測定して、除霜運転を制御するための熱交センサである。３１は水−冷媒熱交換器１５の中程に取り付けられ、冷媒の温度を測定する冷媒中間センサである。
【００１１】
３２は前記水−冷媒熱交換器１５と補助ヒータ１６の間の温水配管に取り付けられ配管温度を測定する往き温水センサ。３３は前記補助ヒータ１６と温水タンク１７の間の温水配管に取り付けられ配管温度を測定するヒータ温水センサ。３４は室内機５と水−冷媒熱交換器１５の間の温水配管に取り付けられ配管温度を測定する戻り温水センサである。
【００１２】
３５は補助ヒータ１６の過熱を検知する安全サーモ。３６は前記温水タンク１７に取り付けられた２本の電極で温水タンク１７の水位を検知する水位センサ。３７は前記循環ポンプ１８と温水接続バルブ１９の間と、もう一方の温水接続バルブ１９と戻り温水センサ３４の間を接続するバイパス管で、室内機５への温水循環量を調節するものである。
【００１３】
冷凍回路について説明すれば、冷媒回路部２に位置する圧縮機７から吐出された高温の冷媒は冷媒循環バルブ１４を通過して、温水回路部３内に設けた、二重管構造で構成される水−冷媒熱交換器１５にて冷媒経路２７と接する温水経路２６の間で熱交換が行われ、温水経路２６の水が高温の冷媒によって加熱される。冷媒経路２７では熱を放出して冷媒は液化した後、もう一方の冷媒循環バルブ１４を通過して冷媒回路部２の膨張弁９に戻って、減圧され蒸発器８によって送風空気から熱を奪って、冷媒が気化した後圧縮機７に戻って冷凍サイクルの循環が継続される。
【００１４】
温水回路について説明すれば、水−冷媒熱交換器１５で加熱された温水は補助ヒータ１６にて除霜運転時や冷凍回路での能力不足の時に更に加熱し、温水タンク１７で必要な温度の温水が蓄えられる。温水タンク１７の温水は循環ポンプ１８によって温水接続バルブ１９、連絡配管４を通過して室内機５の熱交換器２３に送られ、送風ファン２４によってで温風として室内に熱が放出され暖房が行われ、もう１方の連絡配管４と温水接続バルブ１９を通過して、水−冷媒熱交換器１５で加熱される温水の循環が行われる。また室内機５への温水循環量を調節するために、一部の温水はバイパス管３７側を循環する。
【００１５】
温水タンク１７について説明すれば、温水タンク１７は温水回路内の水が温度差によって膨張する体積分を吸収するためのものであり、施工時の給水および水補給の際の給水部を兼ねている。
また温水タンク１７はポリエチレンまたはポリプロピレンなどの合成樹脂で構成される略直方体形状のケーシング３８を有している。このケーシング３８は上下等に適宜分割された成型品を熱溶着または超音波溶着によって一体化することで構成する。
【００１６】
また温水タンク１７の上面には、給水のための給水口３９が設けられ、この給水口３９は給水のためのホースが挿入可能な大きさおよび形状となっており、異物が温水回路に混入することを防止するためのフィルタを備える構成とすることができるものである。
ケーシング３８の側面には、温水回路内を循環する水をケーシング３８内に導入する流入口４０と、ケーシング３８内の水を排出する流出口４１とが設けられている。温水タンク１７の流入口４０は補助ヒータ１６と、流出口４１は循環ポンプ１８の吸入側に接続される。
【００１７】
また温水タンク１７の給水口３９周辺には、こぼれた水によって電装品などの他の部品が侵水しないように、給水口３９周辺に溝４２が形成され、給水口３９の図  左方向に位置する開放部４３を除いて給水口３９を取り囲むように設けられており、給水口３９の周辺にこぼれた水を開放部４３を介して外方に案内するように構成されている。また温水タンク１７に上面の端部には２本の電極がタンク内に貫通する水位センサ３６が取り付けられている。
【００１８】
温水暖房機を据え付けた際には、必ず温水回路への給水と試運転が必要になる。給水を行うには、室外機１の天板に備えた給水用蓋１２を取外し、給水口３９のキャップ等（図示せず）を外して、給水口３９にホース先端を挿入して給水作業を行う。このとき、ホース先端を給水口３９に挿入する際または抜き取る際にホース先端から給水口３９周辺に水がこぼれた場合や給水量が多すぎることにより給水口３９から水があふれる場合がある。しかしながら、給水口３９周辺に設けられている溝４２によって、電装品側に水が流れ出ることを防止し、開放部４３より温水タンク１７の側面に沿って下方に水が案内され室外機１の外部に排水されることとなる。
【００１９】
そして温水タンク１７上面に備えた給水口３９の高さ位置を温水タンク１７本体の高さと略同じ高さとし、給水口３９の周囲に溝４２を設け、給水口３９の周辺にこぼれた水を側板方向に案内するようにしたので、室外機内への浸水を防止しながら温水タンク１７本体の上面をぎりぎりまで室外機の天板に近づけることができるので、温水タンク１７がコンパクトになり、室外機全体のコンパクト化を促進することができるものである。
【図面の簡単な説明】
【００２０】
【図１】この発明一実施例の斜視図。
【図２】同概略の説明図。
【図３】同温水タンクの平面図。
【図４】同Ａ−Ａ断面図。
【符号の説明】
【００２１】
１    室外機
５    室内機
１５    水−冷媒熱交換器
１７    温水タンク
３９    給水口
４２    溝
４３    開放部
【図１】
2010121840.tif 000003
【図２】
2010121840.tif 000004
【図３】
2010121840.tif 000005
【図４】
2010121840.tif 000006